(57)【要約】【課題】  移動通信端末とロケーションレジスタとの間のデータ伝送路のトラフィックを低減できる位置登録システムを提供する。【解決手段】  位置登録システム１０は、移動通信端末１２と、移動通信端末１２の位置登録を行うロケーションレジスタ１４とを備えて構成される。ロケーションレジスタ１４は、移動通信端末１２の停滞回数を格納する格納部１６と、格納部１６に格納された上記移動通信端末１２の停滞回数に基づいて当該移動通信端末１２の位置登録の周期を決定する位置登録周期決定部１８と、位置登録周期決定部１８によって決定された位置登録の周期を移動通信端末１２に対して送信し、送信された位置登録の周期に応じて上記移動通信端末１２から送信される当該移動通信端末１２の位置情報を受信し、受信された位置情報に基づいて当該移動通信端末１２の位置登録を行う位置登録制御部２０とを備えている。【選択図】  図１
2007028652.tif 000002
【特許請求の範囲】
【請求項１】
移動通信端末の位置登録を行うロケーションレジスタにおいて、
前記移動通信端末の移動状況に関する情報を格納する第１の格納手段と、
前記第１の格納手段に格納された前記移動通信端末の移動状況に関する情報に基づいて、前記移動通信端末の位置登録の周期を決定する第１の決定手段と、
前記第１の決定手段によって決定された前記位置登録の周期を前記移動通信端末に対して送信し、送信された前記位置登録の周期に応じて前記移動通信端末から送信される前記移動通信端末の位置情報を受信し、受信された前記位置情報に基づいて前記移動通信端末の位置登録を行う第１の登録手段と
を備えたことを特徴とするロケーションレジスタ。
【請求項２】
前記第１の決定手段は、前記第１の格納手段に格納された前記移動通信端末の移動状況に関する情報に基づいて、前記移動通信端末の位置登録の管理時間をさらに決定し、
前記第１の登録手段は、前記第１の決定手段によって決定された前記管理時間の範囲内で前記移動通信端末の位置登録を行う
ことを特徴とする請求項１に記載のロケーションレジスタ。
【請求項３】
移動通信端末の位置登録を行うロケーションレジスタにおいて、
前記移動通信端末への着信頻度に関する情報を格納する第２の格納手段と、
前記第２の格納手段に格納された前記移動通信端末への着信頻度に関する情報に基づいて、前記移動通信端末の位置登録の周期を決定する第２の決定手段と、
前記第２の決定手段によって決定された前記位置登録の周期を前記移動通信端末に対して送信し、送信された前記位置登録の周期に応じて前記移動通信端末から送信される前記移動通信端末の位置情報を受信し、受信された前記位置情報に基づいて前記移動通信端末の位置登録を行う第２の登録手段と
を備えたことを特徴とするロケーションレジスタ。
【請求項４】
前記第２の決定手段は、前記第２の格納手段に格納された前記移動通信端末への着信頻度に関する情報に基づいて、前記移動通信端末の位置登録の管理時間をさらに決定し、
前記第２の登録手段は、前記第２の決定手段によって決定された前記管理時間の範囲内で前記移動通信端末の位置登録を行う
ことを特徴とする請求項３に記載のロケーションレジスタ。
【請求項５】
移動通信端末の位置登録を行うロケーションレジスタにおいて、
前記移動通信端末の移動状況に関する情報と前記移動通信端末への着信頻度に関する情報とを格納する第３の格納手段と、
前記第３の格納手段に格納された前記移動通信端末の移動状況に関する情報と前記移動通信端末への着信頻度に関する情報とに基づいて、前記移動通信端末の位置登録の周期を決定する第３の決定手段と、
前記第３の決定手段によって決定された前記位置登録の周期を前記移動通信端末に対して送信し、送信された前記位置登録の周期に応じて前記移動通信端末から送信される前記移動通信端末の位置情報を受信し、受信された前記位置情報に基づいて前記移動通信端末の位置登録を行う第３の登録手段と
を備えたことを特徴とするロケーションレジスタ。
【請求項６】
前記第３の決定手段は、前記第３の格納手段に格納された前記移動通信端末の移動状況に関する情報と前記移動通信端末への着信頻度に関する情報に基づいて、前記移動通信端末の位置登録の管理時間をさらに決定し、
前記第３の登録手段は、前記第３の決定手段によって決定された前記管理時間の範囲内で前記移動通信端末の位置登録を行う
ことを特徴とする請求項５に記載のロケーションレジスタ。
【請求項７】
移動通信端末と、前記移動通信端末の位置登録を行うロケーションレジスタとを備えた位置登録システムにおいて、
前記ロケーションレジスタは、請求項１〜６のいずれか１項に記載のロケーションレジスタであることを特徴とする位置登録システム。
【請求項８】
移動通信端末の位置登録を行う位置登録方法において、
前記移動通信端末の移動状況に関する情報を格納手段に格納する第１の格納ステップと、
前記第１の格納ステップにおいて前記格納手段に格納された前記移動通信端末の移動状況に関する情報に基づいて、前記移動通信端末の位置登録の周期を決定する第１の決定ステップと
前記第１の決定ステップにおいて決定された前記位置登録の周期を前記移動通信端末に対して送信する第１の送信ステップと、
前記第１の送信ステップにおいて送信された前記位置登録の周期に応じて前記移動通信端末から送信される、前記移動通信端末の位置情報を受信する第１の受信ステップと、
前記第１の受信ステップにおいて受信された前記位置情報に基づいて前記移動通信端末の位置登録を行う第１の登録ステップと
を備えたことを特徴とする位置登録方法。
【請求項９】
前記第１の決定ステップは、前記格納手段に格納された前記移動通信端末の移動状況に関する情報に基づいて、前記移動通信端末の位置登録の管理時間をさらに決定し、
前記第１の登録ステップは、前記第１の決定ステップにおいて決定された前記管理時間の範囲内で前記移動通信端末の位置登録を行う
ことを特徴とする請求項８に記載の位置登録方法。
【請求項１０】
移動通信端末の位置登録を行う位置登録方法において、
前記移動通信端末への着信頻度に関する情報を格納手段に格納する第２の格納ステップと、
前記第２の格納ステップにおいて格納手段に格納された前記移動通信端末への着信頻度に関する情報に基づいて、前記移動通信端末の位置登録の周期を決定する第２の決定ステップと、
前記第２の決定ステップにおいて決定された前記位置登録の周期を前記移動通信端末に対して送信する第２の送信ステップと、
前記第２の送信ステップにおいて送信された前記位置登録の周期に応じて前記移動通信端末から送信される、前記移動通信端末の位置情報を受信する第２の受信ステップと、
前記第２の受信ステップにおいて受信された前記位置情報に基づいて前記移動通信端末の位置登録を行う第２の登録ステップと
を備えたことを特徴とする位置登録方法。
【請求項１１】
前記第２の決定ステップは、前記格納手段に格納された前記移動通信端末への着信頻度に関する情報に基づいて、前記移動通信端末の位置登録の管理時間をさらに決定し、
前記第２の登録ステップは、前記第２の決定ステップにおいて決定された前記管理時間の範囲内で前記移動通信端末の位置登録を行う
ことを特徴とする請求項１０に記載の位置登録方法。
【請求項１２】
移動通信端末の位置登録を行う位置登録方法において、
前記移動通信端末の移動状況に関する情報と前記移動通信端末への着信頻度に関する情報とを格納手段に格納する第３の格納ステップと、
前記第３の格納ステップにおいて前記格納手段に格納された前記移動通信端末の移動状況に関する情報と前記移動通信端末への着信頻度に関する情報とに基づいて、前記移動通信端末の位置登録の周期を決定する第３の決定ステップと、
前記第３の決定ステップにおいて決定された前記位置登録の周期を前記移動通信端末に対して送信する第３の送信ステップと、
前記第３の送信ステップにおいて送信された前記位置登録の周期に応じて前記移動通信端末から送信される、前記移動通信端末の位置情報を受信する第３の受信ステップと、
前記第３の受信ステップにおいて受信された前記位置情報に基づいて前記移動通信端末の位置登録を行う第３の登録ステップと
を備えたことを特徴とする位置登録方法。
【請求項１３】
前記第３の決定ステップは、前記格納手段に格納された前記移動通信端末の移動状況に関する情報と前記移動通信端末への着信頻度に関する情報とに基づいて、前記移動通信端末の位置登録の管理時間をさらに決定し、
前記第３の登録ステップは、前記第３の決定ステップによって決定された前記管理時間の範囲内で前記移動通信端末の位置登録を行うことを特徴とする請求項１２に記載の位置登録方法。
【発明の詳細な説明】
【技術分野】
【０００１】
本発明は、移動通信端末の位置登録を行うロケーションレジスタ、位置登録システム、位置登録方法に関するものである。
【背景技術】
【０００２】
携帯電話などの移動通信端末への着信を効率よく行わせるためには、動き回る移動通信端末が現在どこに位置しているかを逐次把握する必要がある。移動通信端末の存在する位置（位置登録エリア）を逐次把握するために、移動通信端末が移動に伴って異なる位置登録エリアに入った場合、当該移動通信端末の位置情報を当該移動通信端末からロケーションレジスタに対して送信し、かかる位置情報をロケーションレジスタに登録する位置登録という処理が行われる。また、移動通信端末が同一の位置登録エリア内にとどまっている場合であっても、当該移動通信端末の電源が切られていないこと、及び、移動通信端末が通信圏外に移動していないことをロケーションレジスタに知らせるために、周期的（例えば６０分周期）に上記位置登録が行われている。
【発明の開示】
【発明が解決しようとする課題】
【０００３】
上記従来の位置登録方法においては、上記周期的な位置登録に際し、移動通信端末からロケーションレジスタへの位置情報の送信、ロケーションレジスタから移動通信端末への位置登録応答信号の送信など、移動通信端末とロケーションレジスタとの間で情報の送受信が一定の周期で行われる。従って、移動通信端末とロケーションレジスタとの間のデータ伝送路には、継続的にトラフィックが発生する。また、昨今の携帯電話機の急速な普及により、位置登録に起因する移動通信端末とロケーションレジスタとの間のデータ伝送路のトラフィックは、増加の一途をたどっている。かかるトラフィックの過度の増加は、通信障害などのトラブルをもたらすこともある。
【０００４】
ここで、位置登録の周期を一律に長くすることによって、位置登録に起因する移動通信端末とロケーションレジスタとの間のデータ伝送路のトラフィックを低減することも考えられる。しかし、位置登録の周期を一律に長くした場合、移動通信端末が通信圏外に移動した（あるいは電源が切られた）にもかかわらず、移動通信端末が通信圏外に移動した（あるいは電源が切られた）ことをロケーションレジスタが把握できない可能性（時間帯）が高まる。その結果、ロケーションレジスタがかかる移動通信端末に対して無効な着信処理をしてしまう頻度が高まり、無効な着信トラフィックが増加する。
【０００５】
そこで本発明は、移動通信端末とロケーションレジスタとの間のトラフィックを低減することができる位置登録方法、位置登録システム及びこれに用いるロケーションレジスタを提供することを課題とする。
【課題を解決するための手段】
【０００６】
上記課題を解決するために、本発明のロケーションレジスタは、移動通信端末の位置登録を行うロケーションレジスタであって、上記移動通信端末の移動状況に関する情報を格納する第１の格納手段と、上記第１の格納手段に格納された上記移動通信端末の移動状況に関する情報に基づいて、上記移動通信端末の位置登録の周期を決定する第１の決定手段と、上記第１の決定手段によって決定された上記位置登録の周期を上記移動通信端末に対して送信し、送信された上記位置登録の周期に応じて上記移動通信端末から送信される上記移動通信端末の位置情報を受信し、受信された上記位置情報に基づいて上記移動通信端末の位置登録を行う第１の登録手段とを備えたことを特徴としている。
【０００７】
主として限られたエリア内で用いられる移動通信端末（例えば、自動販売機等に配置された移動通信端末）に関しては、広範囲に動き回る移動通信端末と同一の周期で位置登録を行う必要性に乏しい。ここで、移動通信端末の移動状況に関する情報に基づいて位置登録の周期を決定し、当該周期に応じて移動通信端末の位置登録を行うことで、主として限られたエリア内で用いられ、頻繁に位置登録を行う必要性に乏しい移動通信端末に関して、位置登録の周期を長くすることができる。
【０００８】
また、本発明のロケーションレジスタにおいては、上記第１の決定手段は、上記第１の格納手段に格納された上記移動通信端末の移動状況に関する情報に基づいて、上記移動通信端末の位置登録の管理時間をさらに決定し、上記第１の登録手段は、上記第１の決定手段によって決定された上記管理時間の範囲内で上記移動通信端末の位置登録を行うことを特徴とすることが好適である。
【０００９】
移動通信端末の移動状況に関する情報に基づいて当該移動通信端末の位置登録の管理時間を決定することで、移動通信端末の移動状況に関する情報に基づいて決定される位置登録の周期に応じて、適切な管理時間を設定することができる。
【００１０】
また、上記課題を解決するために、本発明のロケーションレジスタは、移動通信端末の位置登録を行うロケーションレジスタであって、上記移動通信端末への着信頻度に関する情報を格納する第２の格納手段と、上記第２の格納手段に格納された上記移動通信端末への着信頻度に関する情報に基づいて、上記移動通信端末の位置登録の周期を決定する第２の決定手段と、上記第２の決定手段によって決定された上記位置登録の周期を上記移動通信端末に対して送信し、送信された上記位置登録の周期に応じて上記移動通信端末から送信される上記移動通信端末の位置情報を受信し、受信された上記位置情報に基づいて上記移動通信端末の位置登録を行う第２の登録手段とを備えたことを特徴とすることもできる。
【００１１】
主として発信用に用いられ、ほとんど着信が行われない移動通信端末に関しては、主として着信用に用いられる移動通信端末と同一の周期で位置登録を行う必要性に乏しい。ここで、移動通信端末への着信頻度に関する情報に基づいて位置登録の周期を決定し、当該周期に応じて移動通信端末の位置登録を行うことで、主として発信用に用いられ、頻繁に位置登録を行う必要性に乏しい移動通信端末に関して、位置登録の周期を長くすることができる。
【００１２】
また、本発明のロケーションレジスタにおいては、上記第２の決定手段は、上記第２の格納手段に格納された上記移動通信端末への着信頻度に関する情報に基づいて、上記移動通信端末の位置登録の管理時間をさらに決定し、上記第２の登録手段は、上記第２の決定手段によって決定された上記管理時間の範囲内で上記移動通信端末の位置登録を行うことを特徴とすることが好適である。
【００１３】
移動通信端末への着信頻度に関する情報に基づいて当該移動通信端末の位置登録の管理時間を決定することで、移動通信端末への着信頻度に関する情報に基づいて決定される位置登録の周期に応じて、適切な管理時間を設定することができる。
【００１４】
また、上記課題を解決するために、本発明のロケーションレジスタは、移動通信端末の位置登録を行うロケーションレジスタであって、上記移動通信端末の移動状況に関する情報と上記移動通信端末への着信頻度に関する情報とを格納する第３の格納手段と、上記第３の格納手段に格納された上記移動通信端末の移動状況に関する情報と上記移動通信端末への着信頻度に関する情報とに基づいて、上記移動通信端末の位置登録の周期を決定する第３の決定手段と、上記第３の決定手段によって決定された上記位置登録の周期を上記移動通信端末に対して送信し、送信された上記位置登録の周期に応じて上記移動通信端末から送信される上記移動通信端末の位置情報を受信し、受信された上記位置情報に基づいて上記移動通信端末の位置登録を行う第３の登録手段とを備えたことを特徴とすることもできる。
【００１５】
移動通信端末の移動状況に関する情報と移動通信端末への着信頻度に関する情報とに基づいて位置登録の周期を決定し、当該周期に応じて移動通信端末の位置登録を行うことで、主として限られたエリア内で用いられ、頻繁に位置登録を行う必要性に乏しい移動通信端末や、主として発信用に用いられ、頻繁に位置登録を行う必要性に乏しい移動通信端末に関して、位置登録の周期を長くすることができる。また、移動通信端末の移動状況に関する情報と移動通信端末への着信頻度に関する情報との双方に基づいて位置登録の周期を決定することで、移動通信端末の移動状況に関する情報のみに基づいて位置登録の周期を決定する場合や、移動通信端末への着信頻度に関する情報のみに基づいて位置登録の周期を決定する場合などと比較して、複数の移動通信端末それぞれに関し、位置登録におけるトラフィック低減と無効な着信トラフィックの低減との双方の観点から極めて適した周期で位置登録を行うことができる。
【００１６】
また、本発明のロケーションレジスタにおいては、上記第３の決定手段は、上記第３の格納手段に格納された上記移動通信端末の移動状況に関する情報と上記移動通信端末への着信頻度に関する情報とに基づいて、上記移動通信端末の位置登録の管理時間をさらに決定し、上記第３の登録手段は、上記第３の決定手段によって決定された上記管理時間の範囲内で上記移動通信端末の位置登録を行うことを特徴とすることが好適である。
【００１７】
移動通信端末の移動状況に関する情報と移動通信端末への着信頻度に関する情報とに基づいて当該移動通信端末の位置登録の管理時間を決定することで、移動通信端末の移動状況に関する情報と移動通信端末への着信頻度に関する情報とに基づいて決定される位置登録の周期に応じて、適切な管理時間を設定することができる。
【００１８】
また、上記課題を解決するために、本発明の位置登録システムは、移動通信端末と、上記移動通信端末の位置登録を行うロケーションレジスタとを備えた位置登録システムであって、上記ロケーションレジスタは、上述のいずれかのロケーションレジスタであることを特徴としている。
【００１９】
上述のいずれかのロケーションレジスタを用いることで、頻繁に位置登録を行う必要性に乏しい移動通信端末に関して、位置登録の周期を長くすることができる。
【００２０】
また、上記課題を解決するために、本発明の位置登録方法は、移動通信端末の位置登録を行う位置登録方法であって、上記移動通信端末の移動状況に関する情報を格納手段に格納する第１の格納ステップと、上記第１の格納ステップにおいて上記格納手段に格納された上記移動通信端末の移動状況に関する情報に基づいて、上記移動通信端末の位置登録の周期を決定する第１の決定ステップと、上記第１の決定ステップにおいて決定された上記位置登録の周期を上記移動通信端末に対して送信する第１の送信ステップと、上記第１の送信ステップにおいて送信された上記位置登録の周期に応じて上記移動通信端末から送信される、上記移動通信端末の位置情報を受信する第１の受信ステップと、上記第１の受信ステップにおいて受信された上記位置情報に基づいて上記移動通信端末の位置登録を行う第１の登録ステップとを備えたことを特徴としている。
【００２１】
主として限られたエリア内で用いられる移動通信端末（例えば、自動販売機等に配置された移動通信端末）に関しては、広範囲に動き回る移動通信端末と同一の周期で位置登録を行う必要性に乏しい。ここで、移動通信端末の移動状況に関する情報に基づいて位置登録の周期を決定し、当該周期に応じて移動通信端末の位置登録を行うことで、主として限られたエリア内で用いられ、頻繁に位置登録を行う必要性に乏しい移動通信端末に関して、位置登録の周期を長くすることができる。
【００２２】
また、本発明の位置登録方法においては、上記第１の決定ステップは、上記格納手段に格納された上記移動通信端末の移動状況に関する情報に基づいて、上記移動通信端末の位置登録の管理時間をさらに決定し、上記第１の登録ステップは、上記第１の決定ステップにおいて決定された上記管理時間の範囲内で上記移動通信端末の位置登録を行うことを特徴とすることが好適である。
【００２３】
移動通信端末の移動状況に関する情報に基づいて当該移動通信端末の位置登録の管理時間を決定することで、移動通信端末の移動状況に関する情報に基づいて決定される位置登録の周期に応じて、適切な管理時間を設定することができる。
【００２４】
また、上記課題を解決するために、本発明の位置登録方法は、移動通信端末の位置登録を行う位置登録方法であって、上記移動通信端末への着信頻度に関する情報を格納手段に格納する第２の格納ステップと、上記第２の格納ステップにおいて格納手段に格納された上記移動通信端末への着信頻度に関する情報に基づいて、上記移動通信端末の位置登録の周期を決定する第２の決定ステップと、上記第２の決定ステップにおいて決定された上記位置登録の周期を上記移動通信端末に対して送信する第２の送信ステップと、上記第２の送信ステップにおいて送信された上記位置登録の周期に応じて上記移動通信端末から送信される、上記移動通信端末の位置情報を受信する第２の受信ステップと、上記第２の受信ステップにおいて受信された上記位置情報に基づいて上記移動通信端末の位置登録を行う第２の登録ステップとを備えたことを特徴としている。
【００２５】
主として発信用に用いられ、ほとんど着信が行われない移動通信端末に関しては、主として着信用に用いられる移動通信端末と同一の周期で位置登録を行う必要性に乏しい。ここで、移動通信端末への着信頻度に関する情報に基づいて位置登録の周期を決定し、当該周期に応じて移動通信端末の位置登録を行うことで、主として発信用に用いられ、頻繁に位置登録を行う必要性に乏しい移動通信端末に関して、位置登録の周期を長くすることができる。
【００２６】
また、本発明の位置登録方法においては、上記第２の決定ステップは、上記格納手段に格納された上記移動通信端末への着信頻度に関する情報に基づいて、上記移動通信端末の位置登録の管理時間をさらに決定し、上記第２の登録ステップは、上記第２の決定ステップにおいて決定された上記管理時間の範囲内で上記移動通信端末の位置登録を行うことを特徴とすることが好適である。
【００２７】
移動通信端末への着信頻度に関する情報に基づいて当該移動通信端末の位置登録の管理時間を決定することで、移動通信端末への着信頻度に関する情報に基づいて決定される位置登録の周期に応じて、適切な管理時間を設定することができる。
【００２８】
また、上記課題を解決するために、本発明の位置登録方法は、移動通信端末の位置登録を行う位置登録方法であって、上記移動通信端末の移動状況に関する情報と上記移動通信端末への着信頻度に関する情報とを格納手段に格納する第３の格納ステップと、上記第３の格納ステップにおいて上記格納手段に格納された上記移動通信端末の移動状況に関する情報と上記移動通信端末への着信頻度に関する情報とに基づいて、上記移動通信端末の位置登録の周期を決定する第３の決定ステップと、上記第３の決定ステップにおいて決定された上記位置登録の周期を上記移動通信端末に対して送信する第３の送信ステップと、上記第３の送信ステップにおいて送信された上記位置登録の周期に応じて上記移動通信端末から送信される、上記移動通信端末の位置情報を受信する第３の受信ステップと、上記第３の受信ステップにおいて受信された上記位置情報に基づいて上記移動通信端末の位置登録を行う第３の登録ステップとを備えたことを特徴としている。
【００２９】
移動通信端末の移動状況に関する情報と移動通信端末への着信頻度に関する情報とに基づいて位置登録の周期を決定し、当該周期に応じて移動通信端末の位置登録を行うことで、主として限られたエリア内で用いられ、頻繁に位置登録を行う必要性に乏しい移動通信端末や、主として発信用に用いられ、頻繁に位置登録を行う必要性に乏しい移動通信端末に関して、位置登録の周期を長くすることができる。また、移動通信端末の移動状況に関する情報と移動通信端末への着信頻度に関する情報との双方に基づいて位置登録の周期を決定することで、移動通信端末の移動状況に関する情報のみに基づいて位置登録の周期を決定する場合や、移動通信端末への着信頻度に関する情報のみに基づいて位置登録の周期を決定する場合などと比較して、複数の移動通信端末それぞれに関し、位置登録におけるトラフィック低減と無効な着信トラフィックの低減との双方の観点から極めて適した周期で位置登録を行うことができる。
【００３０】
また、本発明の位置登録方法においては、上記第３の決定ステップは、上記格納手段に格納された上記移動通信端末の移動状況に関する情報と上記移動通信端末への着信頻度に関する情報とに基づいて、上記移動通信端末の位置登録の管理時間をさらに決定し、上記第３の登録ステップは、上記第３の決定ステップによって決定された上記管理時間の範囲内で上記移動通信端末の位置登録を行うことを特徴とすることが好適である。
【００３１】
移動通信端末の移動状況に関する情報と移動通信端末への着信頻度に関する情報とに基づいて当該移動通信端末の位置登録の管理時間を決定することで、移動通信端末の移動状況に関する情報と移動通信端末への着信頻度に関する情報とに基づいて決定される位置登録の周期に応じて、適切な管理時間を設定することができる。
【発明の効果】
【００３２】
本発明のロケーションレジスタ、位置登録システム及び位置登録方法は、移動通信端末の移動状況に関する情報に基づいて位置登録の周期を決定し、当該周期に応じて移動通信端末の位置登録を行うことにより、主として限られたエリア内で用いられ、頻繁に位置登録を行う必要性に乏しい移動通信端末に関して、位置登録の周期を長くすることができる。その結果、移動通信端末とロケーションレジスタとの間のデータ伝送路のトラフィックを低減することが可能となる。
【００３３】
また、本発明のロケーションレジスタ、位置登録システム及び位置登録方法は、移動通信端末への着信頻度に関する情報に基づいて位置登録の周期を決定し、当該周期に応じて移動通信端末の位置登録を行うことにより、主として発信用に用いられ、頻繁に位置登録を行う必要性に乏しい移動通信端末に関して、位置登録の周期を長くすることができる。その結果、移動通信端末とロケーションレジスタとの間のデータ伝送路のトラフィックを低減することが可能となる。
【００３４】
また、本発明のロケーションレジスタ、位置登録システム及び位置登録方法は、移動通信端末の移動状況に関する情報と移動通信端末への着信頻度に関する情報とに基づいて位置登録の周期を決定し、当該周期に応じて移動通信端末の位置登録を行うことにより、主として限られたエリア内で用いられ、頻繁に位置登録を行う必要性に乏しい移動通信端末や、主として発信用に用いられ、頻繁に位置登録を行う必要性に乏しい移動通信端末に関して、位置登録の周期を長くすることができる。また、移動通信端末の移動状況に関する情報と移動通信端末への着信頻度に関する情報との双方に基づいて位置登録の周期を決定する場合は、移動通信端末の移動状況に関する情報のみに基づいて位置登録の周期を決定する場合や、移動通信端末への着信頻度に関する情報のみに基づいて位置登録の周期を決定する場合などと比較して、複数の移動通信端末それぞれに関し、位置登録におけるトラフィック低減と無効な着信トラフィックの低減との双方の観点から極めて適した周期で位置登録を行うことができる。その結果、移動通信端末とロケーションレジスタとの間のデータ伝送路のトラフィックを効率よく低減することが可能となる。
【発明を実施するための最良の形態】
【００３５】
本発明の第１の実施形態にかかる位置登録システムについて図面を参照して説明する。尚、本実施形態にかかる位置登録システムは、本発明の実施形態にかかるロケーションレジスタを含んでいる。
【００３６】
まず、本実施形態にかかる位置登録システムの構成について説明する。図１は、本実施形態にかかる位置登録システムの構成図である。本実施形態にかかる位置登録システム１０は、図１に示すように、携帯電話などによって構成される移動通信端末１２と、当該移動通信端末１２の位置登録を行うロケーションレジスタ１４とを備えて構成される。また、ロケーションレジスタ１４は、格納部１６と、位置登録周期決定部１８と、位置登録制御部とを備えて構成される。以下、各構成要素について詳細に説明する。
【００３７】
格納部１６には、位置情報管理テーブル１６ａが格納されている。図２は、位置情報管理テーブル１６ａの構成図である。位置情報管理テーブル１６ａには、図２に示すように、ロケーションレジスタ１４によって管理されている複数の移動通信端末１２それぞれのＩＤと、当該複数の移動通信端末１２それぞれの位置情報と、当該複数の移動通信端末１２それぞれの停滞回数（移動状況に関する情報）が含まれている。ここで、移動通信端末１２の位置情報としては、例えば、移動通信端末１２が現存する位置登録エリアのナンバーなどが該当し、位置登録制御部２０によって位置情報が受信される度に更新される。また、停滞回数とは、移動通信端末１２が同一の位置登録エリアにどの程度の時間だけ停滞しているかを示す情報であり、例えば、移動通信端末１２が上記位置情報を更新するための所定の周期の何周期分だけ同一の位置登録エリアに停滞しているかを示す数が該当する。
【００３８】
位置登録周期決定部１８は、格納部１６の位置情報管理テーブル１６ａに格納されている移動通信端末１２の停滞回数に基づいて、移動通信端末１２の位置登録の周期を決定する。より詳細には、例えば、位置登録制御部２０によって一定の周期（例えば６０分）で移動通信端末１２の位置登録が行われている場合であって、特定の移動通信端末１２が一定の回数（例えば１０回）以上同一の位置登録エリアに停滞していたときは、当該特定の移動通信端末１２に関する位置登録の周期を、上記一定の周期よりも長い周期（例えば１２０分）に変更する。
【００３９】
位置登録制御部２０は、位置登録周期決定部１８によって決定された位置登録の周期を上記特定の移動通信端末１２に対して送信し、送信された位置登録の周期に応じて上記特定の移動通信端末１２から送信される移動通信端末１２の位置情報を受信し、受信された位置情報に基づいて移動通信端末１２の位置登録を行う。すなわち、位置登録制御部２０は、複数の移動通信端末１２それぞれの位置登録を行うに際し、複数の移動通信端末１２それぞれの停滞回数に応じた異なる周期で位置登録を行うことになる。
【００４０】
続いて、本実施形態にかかる位置登録システムの動作について説明し、併せて、本発明の実施形態にかかる位置登録方法について説明する。図３は、本実施形態にかかる位置登録システム１０において移動通信端末１２の位置登録を行う手順を示す図である。
【００４１】
本実施形態にかかる位置登録システム１０において移動通信端末１２の位置登録を行うにあたっては、まず、移動通信端末１２からロケーションレジスタ１４に対して、位置登録要求が送信される。かかる位置登録要求には、移動通信端末１２が現存する位置を示す位置情報（位置登録エリア）が含まれる。移動通信端末１２から送信された位置登録要求は、ロケーションレジスタ１４の位置登録制御部２０によって受信される。
【００４２】
位置登録制御部２０によって位置登録要求が受信されると、位置登録制御部２０から格納部１６に対して、当該移動通信端末１２の位置情報と停滞回数とを読み出す旨の位置情報読出要求が出力される。
【００４３】
かかる位置情報読出要求が格納部１６に対して出力されると、格納部１８から位置登録制御部２０に対して位置情報読出応答が出力される。ここで、位置情報読出応答には、位置情報管理テーブル１６ａから読み出された上記移動通信端末１２の位置情報（すなわち、前回の位置登録時の位置情報）と停滞回数とが含まれている。
【００４４】
ここで、移動通信端末１２から受信した位置情報と位置情報管理テーブル１６ａに含まれている位置情報とが同じである場合、すなわち、移動通信端末１２が前回の位置登録時も今回の位置登録時も同一の位置登録エリアに存在している場合、位置登録制御部２０によって当該移動通信端末１２の停滞回数に１が加算される。一方、移動通信端末１２から受信した位置情報と位置情報管理テーブル１６ａに含まれている位置情報とが異なる場合、すなわち、移動通信端末１２が前回の位置登録時と今回の位置登録時とで異なる位置登録エリアに存在している場合、位置登録制御部２０によって当該移動通信端末１２の停滞回数が０にリセットされる。
【００４５】
位置登録制御部２０によって停滞回数が算出される（１が加算され、あるいは、０にリセットされる）と、当該算出された停滞回数が格納部１６の位置情報管理テーブル１６ａに格納され、また、格納部１６の位置情報管理テーブル１６ａの位置情報が移動通信端末１２から受信した位置情報に更新される。尚、移動通信端末１２から受信した位置情報と位置情報管理テーブル１６ａに含まれている位置情報とが同じである場合は、位置情報管理テーブル１６ａに停滞回数だけを格納し、位置情報は更新しなくても良い。
【００４６】
また、位置登録制御部２０によって移動通信端末１２の停滞回数が算出されると、位置登録制御部２０から位置登録周期決定部１８に対して、位置登録周期決定要求が出力される。ここで、位置登録周期決定要求には、位置登録制御部２０によって算出された移動通信端末１２の停滞回数が含まれている。
【００４７】
位置登録制御部２０から位置登録周期決定要求が出力されると、位置登録周期決定部１８により、当該移動通信端末１２の位置登録周期が決定される。より詳細には、移動通信端末１２の停滞回数が一定の回数（例えば１０回）に満たない場合、すなわち、移動通信端末１２が同一の位置登録エリアに一定の時間以上停滞していない場合、当該移動通信端末１２の位置登録周期は、通常の位置登録周期（例えば６０分）と決定される。一方、移動通信端末１２の停滞回数が一定の回数（例えば１０回）以上となった場合、すなわち、移動通信端末１２が同一の位置登録エリアに一定の時間以上停滞している場合、当該移動通信端末１２の位置登録周期は、上記通常の位置登録周期よりも長い一定の周期（例えば１２０分）と決定される。
【００４８】
位置登録周期決定部１８によって移動通信端末１２の位置登録周期が決定されると、当該位置登録周期は、位置登録周期決定応答として位置登録周期決定部１８から位置登録制御部２０に対して出力される。また、位置登録周期は、位置登録制御部２０から移動通信端末１２に対して位置登録応答として送信される。
【００４９】
移動通信端末１２によって上記位置登録周期を含む位置登録応答が受信されると、当該移動通信端末１２によって上記位置登録周期のタイマが起動し、当該タイマのタイムアウトにより、移動通信端末１２からロケーションレジスタ１４に対して、位置登録要求が送信され、以下、これらの処理が繰り返される。
【００５０】
続いて、本実施形態にかかる位置登録システムの作用及び効果について説明する。本実施形態にかかる位置登録システム１０においては、位置登録周期決定部１８が、移動通信端末１２が同一の位置登録エリアに存在する時間に関する尺度となる当該移動通信端末１２の停滞回数に基づいて当該移動通信端末１２の位置登録の周期を決定し、また、位置登録制御部２０が、当該周期に応じて移動通信端末１２の位置登録を行う。従って、主として限られたエリア内で用いられ、頻繁に位置登録を行う必要性に乏しい移動通信端末１２に関して、位置登録の周期を長くすることができる。その結果、移動通信端末１２とロケーションレジスタ１４との間のデータ伝送路のトラフィックを低減することが可能となる。
【００５１】
以下、本実施形態にかかる位置登録システム１０の第１の変形例について説明する。上記実施形態にかかる位置登録システム１０においては、格納部１６の位置情報管理テーブル１６ａに移動通信端末１２の停滞回数を格納しておき、位置登録周期決定部１８が上記停滞回数に基づいて移動通信端末１２の位置登録の周期を決定し、位置登録制御部２０が上述の如く停滞回数に基づいて決定された位置登録周期に基づいて移動通信端末１２の位置登録を行っていたが、これは、図４に示すように、移動通信端末１２への着信頻度を含む位置情報管理テーブル１６ｂを格納部１６に格納しておき、位置登録周期決定部１８が上記移動通信端末１２への着信頻度に基づいて移動通信端末１２の位置登録の周期を決定し、位置登録制御部２０が上述の如く着信頻度に基づいて決定された位置登録周期に基づいて移動通信端末１２の位置登録を行うようにしてもよい。
【００５２】
図５は、本変形例において移動通信端末１２の位置登録を行う手順を示す図である。移動通信端末１２からロケーションレジスタ１４の位置登録制御部２０に対して位置登録要求が送信され、位置登録制御部２０から格納部１６に対して位置情報読出要求が出力されると、格納部１８に格納された位置情報管理テーブル１６ｂから上記移動通信端末１２の位置情報（すなわち、前回の位置登録時の位置情報）と移動通信端末１２への着信頻度とが読み出され、位置情報読出応答として位置登録制御部２０に出力される。
【００５３】
ここで、移動通信端末１２から受信した位置情報と位置情報管理テーブル１６ｂに含まれている位置情報とが異なる場合、すなわち、移動通信端末１２が前回の位置登録時と今回の位置登録時とで異なる位置登録エリアに存在している場合、格納部１６の位置情報管理テーブル１６ｂの位置情報が移動通信端末１２から受信した位置情報に更新される。一方、移動通信端末１２から受信した位置情報と位置情報管理テーブル１６ｂに含まれている位置情報とが同じである場合、すなわち、移動通信端末１２が前回の位置登録時も今回の位置登録時も同一の位置登録エリアに存在している場合、格納部１６の位置情報管理テーブル１６ｂの位置情報は更新されない。
【００５４】
位置登録制御部２０によって位置情報読出応答が受領されると、また、位置登録制御部２０から位置登録周期決定部１８に対して、位置登録周期決定要求が出力される。ここで、位置登録周期決定要求には、位置情報読出応答に含まれていた移動通信端末１２への着信頻度が含まれている。
【００５５】
位置登録制御部２０から位置登録周期決定要求が出力されると、位置登録周期決定部１８により、当該移動通信端末１２の位置登録周期が決定される。より詳細には、移動通信端末１２の着信頻度が一定の回数（例えば２回／１時間）以上である場合、当該移動通信端末１２の位置登録周期は、通常の位置登録周期（例えば６０分）と決定される。一方、移動通信端末１２の着信頻度が一定の回数（例えば２回／１時間）未満となった場合、当該移動通信端末１２の位置登録周期は、上記通常の位置登録周期よりも長い一定の周期（例えば１２０分）と決定される。
【００５６】
位置登録周期決定部１８によって移動通信端末１２の位置登録周期が決定されると、当該位置登録周期は、位置登録周期決定応答に含まれて位置登録制御部２０に出力され、また、位置登録応答に含まれて移動通信端末１２に対して送信される。
【００５７】
移動通信端末１２によって上記位置登録周期を含む位置登録応答が受信されると、当該移動通信端末１２によって上記位置登録周期のタイマが起動し、当該タイマのタイムアウトにより、移動通信端末１２からロケーションレジスタ１４に対して、位置登録要求が送信され、以下、これらの処理が繰り返される。
【００５８】
本変形例の如く、移動通信端末１２への着信頻度に関する情報に基づいて位置登録周期決定部１８が位置登録の周期を決定し、位置登録制御部２０が当該周期に応じて移動通信端末１２の位置登録を行うことで、主として発信用に用いられ、頻繁に位置登録を行う必要性に乏しい移動通信端末１２に関して、位置登録の周期を長くすることができる。その結果、移動通信端末１２とロケーションレジスタ１４との間のデータ伝送路のトラフィックを低減することが可能となる。
【００５９】
また、上記実施形態にかかる位置情報管理システム１０及び上述の変形例においては、位置登録周期決定部１８が、移動通信端末１２の停滞回数あるいは移動通信端末１２への着信頻度のいずれかに基づいて当該移動通信端末１２の位置登録の周期を決定し、位置登録制御部２０が、移動通信端末１２の停滞回数あるいは移動通信端末１２への着信頻度のいずれかに基づいて決定された位置登録周期に基づいて移動通信端末１２の位置登録を行っていたが、これは、位置登録周期決定部１８が、移動通信端末１２の停滞回数と移動通信端末１２への着信頻度との双方に基づいて当該移動通信端末１２の位置登録の周期を決定し、位置登録制御部２０が、移動通信端末１２の停滞回数と移動通信端末１２への着信頻度との双方に基づいて決定された位置登録周期に基づいて移動通信端末１２の位置登録を行うようにしても良い。
【００６０】
移動通信端末１２の停滞回数と移動通信端末１２への着信頻度との双方に基づいて位置登録の周期を決定し、当該位置登録周期に基づいて移動通信端末１２の位置登録を行うことで、移動通信端末１２の停滞回数のみに基づいて位置登録の周期を決定する場合や移動通信端末１２への着信頻度のみに基づいて位置登録の周期を決定する場合などと比較して、複数の移動通信端末１２それぞれに関し、位置登録におけるトラフィック低減と無効な着信トラフィックの低減との双方の観点から極めて適した周期で位置登録を行うことができる。その結果、移動通信端末１２とロケーションレジスタ１４との間のデータ伝送路のトラフィックを効率よく低減することが可能となる。
【００６１】
続いて、本実施形態にかかる位置登録システム１０の第２の変形例について説明する。すなわち、本変形例は、上記実施形態にかかる位置登録システム１０において、位置登録周期決定部１８が、格納部１６の位置情報管理テーブル１６ａに格納された移動通信端末１２の停滞回数に基づいて、当該移動通信端末１２の位置登録の管理時間をさらに決定し、位置登録制御部２０が、位置登録周期決定部１８によって決定された上記管理時間の範囲内で移動通信端１２末の位置登録を行うようにしたものである。
【００６２】
図６は、本変形例において移動通信端末１２の位置登録を行う手順を示す図である。位置登録周期決定部１８が移動通信端末１２の停滞回数に基づいて位置登録の周期を決定し、位置登録制御部２０が当該周期に応じて移動通信端末１２の位置登録を行う点に関しては、上記実施形態にかかる位置登録システム１０の動作と同様である。本変形例おいては、位置登録周期決定部１８により移動通信端末１２の停滞回数に基づいて位置登録の周期が決定されるとともに、格納部１６の位置情報管理テーブル１６ａに格納された移動通信端末１２の停滞回数に基づいて、移動通信端末１２の位置登録の管理時間がさらに決定される。より詳細には、移動通信端末１２の停滞回数が一定の回数（例えば１０回）に満たない場合、すなわち、移動通信端末１２が同一の位置登録エリアに一定の時間以上停滞していない場合、当該移動通信端末１２の位置登録周期は、通常の位置登録周期（例えば６０分）と決定され、移動通信端末１２の位置登録の管理時間は、かかる位置登録周期よりも長い時間（例えば７０分）に決定される。一方、移動通信端末１２の停滞回数が一定の回数（例えば１０回）以上となった場合、すなわち、移動通信端末１２が同一の位置登録エリアに一定の時間以上停滞している場合、当該移動通信端末１２の位置登録周期は、上記通常の位置登録周期よりも長い一定の周期（例えば１２０分）と決定され、移動通信端末１２の位置登録の管理時間は、かかる位置登録周期よりも長い時間（例えば１３０分）に決定される。
【００６３】
位置登録周期決定部１８によって決定された上記管理時間は、位置登録周期決定応答に含まれて、位置登録制御部２０に対して出力される。
【００６４】
その後、上記管理時間は格納部１６に対して出力され、最終的に位置登録が行われた時刻（最終更新時刻）とともに、図７に示すような位置情報管理テーブル１６ｃとして格納部１６に格納される。
【００６５】
ここで、最終更新時刻から上記管理時間が経過しても移動通信端末１２から位置登録要求がない場合、当該移動通信端末１２は圏外に移動したか電源が切られたと判断され、位置登録制御部２０による位置情報の管理が終了する（以降、移動通信端末１２に対する着信の動作は行われない）。
【００６６】
上述の如く、移動通信端末１２の停滞回数に基づいて当該移動通信端末１２の位置登録の管理時間を決定することで、移動通信端末１２の停滞回数に基づいて決定される位置登録の周期に応じて、適切な管理時間を設定することができる。
【００６７】
かかる変形例は、さらに、移動通信端末１２への着信頻度に基づいて移動通信端末１２の位置登録の周期を決定する態様に対応させて、位置登録周期決定部１８が、格納部１６の位置情報管理テーブル１６ｂに格納された移動通信端末１２への着信頻度に基づいて、当該移動通信端末１２の位置登録の管理時間をさらに決定し、位置登録制御部２０が、位置登録周期決定部１８によって決定された上記管理時間の範囲内で移動通信端末１２の位置登録を行うようにしても良い。
【００６８】
かかる変形例は、また、移動通信端末１２の停滞回数と移動通信端末１２への着信頻度との双方に基づいて移動通信端末１２の位置登録の周期を決定する態様に対応させて、位置登録周期決定部１８が、格納部１６の位置情報管理テーブルに格納された移動通信端末１２の停滞回数と移動通信端末１２への着信頻度との双方に基づいて、当該移動通信端末１２の位置登録の管理時間をさらに決定し、位置登録制御部２０が、位置登録周期決定部１８によって決定された上記管理時間の範囲内で移動通信端末１２の位置登録を行うようにしても良い。
【００６９】
続いて、本発明の第２の実施形態にかかる位置登録システムについて図面を参照して説明する。まず、本実施形態にかかる位置登録システムの構成について説明する。図８は、本実施形態にかかる位置登録システム３０の構成図である。本実施形態にかかる位置登録システム３０は、図８に示すように、移動通信端末１２と、自己が管理する管理圏（管理エリア）に在圏する移動通信端末１２の位置登録を行う複数のビジターロケーションレジスタ（以下、ＶＬＲ３２という）と、複数のＶＬＲ３２それぞれの管理圏を越えて移動する移動通信端末１２の位置情報を管理するホームロケーションレジスタ（以下、ＨＬＲ３４という）とを備えて構成される。ここで、複数のＶＬＲ３２とＨＬＲ３４とは、ネットワーク３６を介して接続されている。
【００７０】
複数のＶＬＲ３２それぞれは、格納部３８と、位置登録周期決定部４０と、ＶＬＲ位置登録制御部４２とを備えて構成される。また、ＨＬＲ３４は、格納部４４と、ＨＬＲ位置登録制御部４６とを備えて構成される。以下、各構成要素について詳細に説明する。
【００７１】
ＶＬＲ３２の格納部３８には、ＶＬＲ位置情報管理テーブル３８ａが格納されている。図９は、ＶＬＲ位置情報管理テーブル３８ａの構成図である。ＶＬＲ位置情報管理テーブル３８ａには、図９に示すように、ＶＬＲ３２によって管理されている複数の移動通信端末１２それぞれのＩＤと、当該複数の移動通信端末１２それぞれの位置情報と、当該複数の移動通信端末１２それぞれの停滞回数が含まれている。尚、ＶＬＲ３２の管理圏に在圏していない移動通信端末１２に関しては、位置情報が「空き」となっており、また、停滞回数も空欄となっている。
【００７２】
ＶＬＲ３２の位置登録周期決定部４０は、格納部３８の位置情報管理テーブル３８ａに格納されている移動通信端末１２の停滞回数に基づいて、移動通信端末１２の位置登録の周期を決定する。より詳細には、例えば、位置登録制御部４２によって一定の周期（例えば６０分）で移動通信端末１２の位置登録が行われている場合であって、特定の移動通信端末１２が一定の回数（例えば１０回）以上同一の位置登録エリアに停滞していたときは、当該特定の移動通信端末１２に関する位置登録の周期を、上記一定の周期よりも長い周期（例えば１２０分）に変更する。
【００７３】
ＶＬＲ３２のＶＬＲ位置登録制御部４２は、位置登録周期決定部４０によって決定された位置登録の周期を上記特定の移動通信端末１２に対して送信し、送信された位置登録の周期に応じて上記特定の移動通信端末１２から送信される移動通信端末１２の位置情報を受信し、受信された位置情報に基づいて移動通信端末１２の位置登録を行う。すなわち、位置登録制御部４２は、複数の移動通信端末１２それぞれの位置登録を行うに際し、複数の移動通信端末１２それぞれの停滞回数に応じた異なる周期で位置登録を行うことになる。
【００７４】
ＨＬＲ３４の格納部４４には、ＨＬＲ位置情報管理テーブル４４ａが格納されている。図１０は、ＨＬＲ位置情報管理テーブル４４ａの構成図である。ＨＬＲ位置情報管理テーブル４４ａには、図１０に示すように、複数の移動通信端末１２それぞれのＩＤと、当該複数の移動通信端末１２それぞれが複数のＶＬＲ３２のうちいずれのＶＬＲ３２によって管理されているか、すなわち、複数の移動通信端末１２それぞれが複数のＶＬＲ３２のうちいずれのＶＬＲ３２の管理圏に在件するかの情報が含まれている。
【００７５】
ＨＬＲ３４のＨＬＲ位置登録制御部４６は、移動端末１２が複数のＶＬＲ３２それぞれの管理圏を越えて移動する場合に、いずれのＶＬＲ３２が移動通信端末１２の位置登録を行うかを管理する。
【００７６】
続いて、本実施形態にかかる位置登録システムの動作について説明する。図１１は、本実施形態にかかる位置登録システム３０において移動通信端末１２の位置登録を行う手順を示す図である。
【００７７】
まず、移動通信端末１２が他のＶＬＲ３２の管理圏から特定のＶＬＲ３２の管理圏に入ってきた場合について考える。ここで、移動通信端末１２が上記特定のＶＬＲ３２の管理圏に入ってくる前は、当該ＶＬＲ３２の格納部３８の位置情報管理テーブル３８ａの当該移動通信端末１２の位置情報は「空き」となっており、停滞回数も空欄となっている。
【００７８】
上述の状態で、移動通信端末１２からＶＬＲ３２のＶＬＲ位置登録制御部４２に対して、当該移動通信端末１２の位置情報を含む位置登録要求が送信されると、ＶＬＲ位置登録制御部４２から格納部３８に対して、当該移動通信端末１２の位置情報と停滞回数とを読み出す旨の位置情報読出要求が出力される。
【００７９】
かかる位置情報読出要求に応答して、格納部３８からＶＬＲ位置登録制御部４２に対して、位置情報読出応答が出力される。ここで、位置情報読出応答には、位置情報管理テーブル３８ａから読み出された上記移動通信端末１２の位置情報（すなわち、前回の位置登録時の位置情報＝「空き」）が含まれている。尚、現時点では位置情報管理テーブル３８ａの停滞回数は空欄となっているため、当該停滞回数は出力されない。
【００８０】
位置情報として「空き」を得ると、ＶＬＲ位置登録制御部４２によって当該移動通信端末１２の停滞回数が０にセットされる。
【００８１】
その後、ＶＬＲ位置登録制御部４２からＨＬＲ３４のＨＬＲ位置登録制御部４６に対して、移動通信端末１２が当該ＶＬＲ３２の管理圏に入ってきたことを通知するＶＬＲ格納要求が送信される。ＨＬＲ３４のＨＬＲ位置登録制御部４６によってＶＬＲ格納要求が受信されると、当該ＶＬＲ格納要求は格納部４４に対して出力され、当該移動通信端末１２に関して格納部４４のＨＬＲ位置情報管理テーブル４４ａの在圏ＶＬＲの欄が更新される。
【００８２】
ＨＬＲ位置情報管理テーブル４４ａの在圏ＶＬＲの欄の更新が終了すると、格納部４４からＨＬＲ位置登録制御部４６に対してＶＬＲ格納応答が出力され、かかるＶＬＲ格納応答は、当該移動通信端末１２の在圏するＶＬＲ３２の位置登録制御部４２に対して送信される。
【００８３】
一方、ＶＬＲ３２のＶＬＲ位置登録制御部４２によって当該移動通信端末１２の停滞回数が０にセットされると、当該停滞回数が格納部３８の位置情報管理テーブル３８ａに格納され、また、格納部３８の位置情報管理テーブル３８ａの位置情報が移動通信端末１２から受信した位置情報に更新される。
【００８４】
また、ＶＬＲ３２のＶＬＲ位置登録制御部４２によって当該移動通信端末１２の停滞回数が０にセットされると、ＶＬＲ位置登録制御部４２から位置登録周期決定部４０に対して、位置登録周期決定要求が出力される。ここで、位置登録周期決定要求には、位置登録制御部２０によってセットされた移動通信端末１２の停滞回数（＝０）が含まれている。
【００８５】
ＶＬＲ位置登録制御部４２から位置登録周期決定要求が出力されると、位置登録周期決定部４０により、当該移動通信端末１２の位置登録周期が決定される。より詳細には、移動通信端末１２の停滞回数が一定の回数（例えば１０回）に満たない場合、すなわち、移動通信端末１２が同一の位置登録エリアに一定の時間以上停滞していない場合、当該移動通信端末１２の位置登録周期は、通常の位置登録周期（例えば６０分）と決定される。一方、移動通信端末１２の停滞回数が一定の回数（例えば１０回）以上となった場合、すなわち、移動通信端末１２が同一の位置登録エリアに一定の時間以上停滞している場合、当該移動通信端末１２の位置登録周期は、上記通常の位置登録周期よりも長い一定の周期（例えば１２０分）と決定される。この場合、移動通信端末１２の停滞回数が０であることから、当該移動通信端末１２の位置登録周期は、通常の位置登録周期（例えば６０分）と決定される。
【００８６】
位置登録周期決定部４０によって移動通信端末１２の位置登録周期が決定されると、当該位置登録周期は、位置登録周期決定応答として位置登録周期決定部４０からＶＬＲ位置登録制御部４２に対して出力される。また、位置登録周期は、ＶＬＲ位置登録制御部４２から移動通信端末１２に対して位置登録応答として送信される。以下、当該ＶＬＲ３２の管理圏に移動通信端末１２が存在する場合、当該ＶＬＲ３２による移動通信端末１２の位置登録の手順は、上記第１の実施形態にかかる位置登録システム１０のロケーションレジスタ１４による移動通信端末１２の位置登録の手順と同様である。
【００８７】
一方、移動通信端末１２が他のＶＬＲ３２の管理圏に移動し、当該他のＶＬＲ３２のＶＬＲ位置登録制御部４２からＨＬＲ３４のＨＬＲ位置登録制御部４６に対してＶＬＲ格納要求が送信されると、ＨＬＲ３４のＨＬＲ位置登録制御部４６から移動通信端末１２が今まで管理圏に存在したＶＬＲ３２のＶＬＲ位置登録制御部４２に対して、位置登録を終了すべき旨の位置登録解除要求が送信される。ＶＬＲ位置登録制御部４２によって位置登録解除要求が受信されると、当該位置登録解除要求は格納部３８に対して出力され、当該格納部３８のＶＬＲ位置情報管理テーブル３８ａの該当する移動通信端末１２の位置情報が「空き」に更新される。
【００８８】
本実施形態にかかる位置登録システム３０においても、上記第１の実施形態にかかる位置登録システム１０において考えたものと同様の変形例が考えられる。すなわち、上記実施形態にかかる位置登録システム３０においては、移動通信端末１２の停滞回数に基づいて移動通信端末１２の位置登録の周期を決定し、位置登録制御部２０が上述の如く停滞回数に基づいて決定された位置登録周期に基づいて移動通信端末１２の位置登録を行っていたが、これは、図１２に示すように、移動通信端末１２への着信頻度を含む位置情報管理テーブル３８ｂをＶＬＲ３２の格納部３８に格納しておき、位置登録周期決定部４０が上記移動通信端末１２への着信頻度に基づいて移動通信端末１２の位置登録の周期を決定し、ＶＬＲ位置登録制御部４２が上述の如く着信頻度に基づいて決定された位置登録周期に基づいて移動通信端末１２の位置登録を行うようにしてもよい。この場合、着信頻度は、停滞回数と異なり、複数のＶＬＲ３２それぞれにおいて算出できるものではない。従って、この場合はＨＬＲ３４の格納部４４に、図１３に示すような、在圏ＶＬＲによらない着信頻度を含むＨＬＲ位置情報管理テーブル４４ｂを格納しておく必要がある。
【００８９】
図１４は、本変形例において移動通信端末１２の位置登録を行う手順を示す図である。まず、移動通信端末１２が他のＶＬＲ３２の管理圏から特定のＶＬＲ３２の管理圏に入ってきた状態で、移動通信端末１２からＶＬＲ３２のＶＬＲ位置登録制御部４２に対して、当該移動通信端末１２の位置情報を含む位置登録要求が送信されると、ＶＬＲ位置登録制御部４２から格納部３８に対して、当該移動通信端末１２の位置情報を読み出す旨の位置情報読出要求が出力される。
【００９０】
かかる位置情報読出要求に応答して、格納部３８からＶＬＲ位置登録制御部４２に対して、位置情報読出応答が出力される。ここで、位置情報読出応答には、位置情報管理テーブル３８ｂから読み出された上記移動通信端末１２の位置情報（すなわち、前回の位置登録時の位置情報＝「空き」）が含まれている。尚、現時点では位置情報管理テーブル３８ｂの着信頻度は空欄となっている。
【００９１】
位置情報として「空き」を得ると、ＶＬＲ位置登録制御部４２からＨＬＲ３４のＨＬＲ位置登録制御部４６に対して、移動通信端末１２が当該ＶＬＲ３２の管理圏に入ってきたことを通知するＶＬＲ格納要求が送信される。ＨＬＲ３４のＨＬＲ位置登録制御部４６によってＶＬＲ格納要求が受信されると、当該ＶＬＲ格納要求は格納部４４に対して出力され、当該移動通信端末１２に関して格納部４４のＨＬＲ位置情報管理テーブル４４ａの在圏ＶＬＲの欄が更新されるとともに、ＨＬＲ位置情報管理テーブル４４ａから当該移動通信端末１２の着信頻度が読み出される。
【００９２】
ＨＬＲ位置情報管理テーブル４４ａの在圏ＶＬＲの欄の更新が終了すると、格納部４４からＨＬＲ位置登録制御部４６に対して、上述の如く読み出された当該移動通信端末１２の着信頻度を含むＶＬＲ格納応答が出力され、かかるＶＬＲ格納応答は、当該移動通信端末１２の在圏するＶＬＲ３２の位置登録制御部４２に対して送信される。
【００９３】
一方、ＶＬＲ３２のＶＬＲ位置登録制御部４２によって移動通信端末１２の着信頻度を含むＶＬＲ格納応答が受信されると、当該着信頻度が格納部３８の位置情報管理テーブル３８ｂに格納され、また、格納部３８の位置情報管理テーブル３８ｂの位置情報が移動通信端末１２から受信した位置情報に更新される。
【００９４】
また、ＶＬＲ３２のＶＬＲ位置登録制御部４２によって移動通信端末１２の着信頻度を含むＶＬＲ格納応答が受信されると、ＶＬＲ位置登録制御部４２から位置登録周期決定部４０に対して、位置登録周期決定要求が出力される。ここで、位置登録周期決定要求には、位置登録制御部４２によって受信された移動通信端末１２の着信頻度が含まれている。
【００９５】
ＶＬＲ位置登録制御部４２から位置登録周期決定要求が出力されると、位置登録周期決定部４０により、当該移動通信端末１２の位置登録周期が決定される。より詳細には、移動通信端末１２の着信頻度が一定の回数（例えば２回／１時間）以上である場合、当該移動通信端末１２の位置登録周期は、通常の位置登録周期（例えば６０分）と決定される。一方、移動通信端末１２の着信頻度が一定の回数（例えば２回／１時間）未満となった場合、当該移動通信端末１２の位置登録周期は、上記通常の位置登録周期よりも長い一定の周期（例えば１２０分）と決定される。
【００９６】
位置登録周期決定部４０によって移動通信端末１２の位置登録周期が決定されると、当該位置登録周期は、位置登録周期決定応答として位置登録周期決定部１８からＶＬＲ位置登録制御部４２に対して出力される。また、位置登録周期は、ＶＬＲ位置登録制御部４２から移動通信端末１２に対して位置登録応答として送信される。以下、当該ＶＬＲ３２の管理圏に移動通信端末１２が存在する場合、当該ＶＬＲ３２による移動通信端末１２の位置登録の手順は、上記第１の実施形態にかかる位置登録システム１０の第１の変形例におけるロケーションレジスタ１４による移動通信端末１２の位置登録の手順と同様である。
【００９７】
また、移動通信端末１２が他のＶＬＲ３２の管理圏に移動した場合の動作は、上記第２の実施形態にかかる位置登録システム３０における動作を同様である。
【００９８】
また、上記実施形態にかかる位置情報管理システム３０及び上述の変形例においては、ＶＬＲ３２の位置登録周期決定部４０が、移動通信端末１２の停滞回数あるいは移動通信端末１２への着信頻度のいずれかに基づいて当該移動通信端末１２の位置登録の周期を決定し、ＶＬＲ位置登録制御部４２が、移動通信端末１２の停滞回数あるいは移動通信端末１２への着信頻度のいずれかに基づいて決定された位置登録周期に基づいて移動通信端末１２の位置登録を行っていたが、これは、位置登録周期決定部４０が、移動通信端末１２の停滞回数と移動通信端末１２への着信頻度との双方に基づいて当該移動通信端末１２の位置登録の周期を決定し、ＶＬＲ位置登録制御部４２が、移動通信端末１２の停滞回数と移動通信端末１２への着信頻度との双方に基づいて決定された位置登録周期に基づいて移動通信端末１２の位置登録を行うようにしても良い。
【００９９】
また、上記第１の実施形態にかかる位置登録システム１０における上記第２の変形例に相当する変形を本実施形態にかかる位置登録システム３０においても行うことができる。この場合は、ＶＬＲ３２の格納部３８に、図１５に示すようなＶＬＲ位置情報管理テーブル３８ｃを格納しておき、図１６に示す手順によって移動通信端末１２の位置登録が行われる。この場合の位置登録の具体的手順は、上記第２の実施形態にかかる位置登録システム３０における位置登録の手順と同様であり、また、管理時間の決定及びかかる管理時間による位置登録の管理の手順は、上記第１の実施形態にかかる位置登録システム１０の第２の変形例における管理時間の決定及びかかる管理時間による位置登録の管理の手順と同様である。
【０１００】
かかる変形例は、さらに、移動通信端末１２への着信頻度に基づいて移動通信端末１２の位置登録の周期を決定する態様に対応させて、位置登録周期決定部４０が、格納部３８の位置情報管理テーブル３８ｂに格納された移動通信端末１２への着信頻度に基づいて、当該移動通信端末１２の位置登録の管理時間をさらに決定し、ＶＬＲ位置登録制御部４２が、位置登録周期決定部４０によって決定された上記管理時間の範囲内で移動通信端末１２の位置登録を行うようにしても良い。
【０１０１】
かかる変形例は、また、移動通信端末１２の停滞回数と移動通信端末１２への着信頻度との双方に基づいて移動通信端末１２の位置登録の周期を決定する態様に対応させて、位置登録周期決定部４０が、格納部３８の位置情報管理テーブルに格納された移動通信端末１２の停滞回数と移動通信端末１２への着信頻度との双方に基づいて、当該移動通信端末１２の位置登録の管理時間をさらに決定し、ＶＬＲ位置登録制御部４２が、位置登録周期決定部４０によって決定された上記管理時間の範囲内で移動通信端末１２の位置登録を行うようにしても良い。
【０１０２】
また、上記第１及び第２の実施形態並びにこれらの変形例においては、移動通信端末１２の停滞回数に基づいて、あるいは、移動通信端末１２への着信頻度に基づいて、あるいは、移動通信端末１２の停滞回数と移動通信端末１２への着信頻度との双方に基づいて、移動通信端末１２の位置登録の周期を２つの周期のいずれかに設定していたが、これは、３つ、４つあるいはより多くの周期のいずれかに設定するようにしても良い。また、移動通信端末１２の位置登録の周期を連続的に変更するようにしても良い。このようにすることで、よりきめの細かい位置登録の周期の設定が可能となる。
【０１０３】
同様に、上記第１及び第２の実施形態並びにこれらの変形例においては、移動通信端末１２の停滞回数に基づいて、あるいは、移動通信端末１２への着信頻度に基づいて、あるいは、移動通信端末１２の停滞回数と移動通信端末１２への着信頻度との双方に基づいて、移動通信端末１２の位置登録の管理時間を２つの時間のいずれかに設定していたが、これは、３つ、４つあるいはより多くの時間のいずれかに設定するようにしても良い。また、移動通信端末１２の位置登録の管理時間を連続的に変更するようにしても良い。このようにすることで、よりきめの細かい管理時間の設定が可能となる。
【０１０４】
また、上記第１及び第２の実施形態においては、移動通信端末の移動状況に関する情報として移動端末１２の停滞回数を用い、移動通信端末１２の停滞回数に基づいて、移動通信端末１２の位置登録の周期を設定していたが、これは、移動通信端末の移動状況に関する他の情報に基づいて、移動通信端末１２の位置登録の周期を設定してもよい。
【０１０５】
例えば、移動通信端末の移動状況に関する情報として、移動通信端末１２の行動パタ−ン（あるいは、移動通信端末１２を所持する人の行動パターン）に基づいて、移動通信端末１２の位置登録の周期を設定するようにしても良い。ここで、行動パターンとは、時間帯と当該時間帯における停滞回数や移動方向などが考えられる。より具体的には、例えば、図１７に示すような時間帯と当該時間帯における行動パターンとの関係を示す行動パターンテーブル５０を予め用意しておき、時間帯毎に移動通信端末１２が存在する可能性が高い位置登録エリアにおいては位置登録の周期を長くし、移動通信端末１２が存在する可能性が低い位置登録エリアにおいては位置登録の周期を短くする。図１７に示す例で説明すれば、０：００〜７：３０の時間帯は、移動通信端末１２が家の近辺の位置登録エリアに存在する場合は位置登録の周期を長くし、それ以外の位置登録エリアに存在する場合は位置登録の周期を短くする。かかる行動パターンテーブル５０は、移動通信端末１２の過去の動きに基づいて生成され、移動通信端末１２の過去の動きに基づいて逐次更新されるようにしても良い。また、土日の行動パターンと平日の行動パターンとを区別して上記行動パターンテーブル５０を構成しても良い。
【０１０６】
また、上記第１及び第２の実施形態においては、移動通信端末の移動状況に関する情報として移動端末１２の停滞回数を用い、移動通信端末１２の停滞回数に基づいて、移動通信端末１２の位置登録の管理時間を設定していたが、これは、上述の行動パターンなど、移動通信端末の移動状況に関する他の情報に基づいて、移動通信端末１２の位置登録の管理時間を設定してもよい。
【図面の簡単な説明】
【０１０７】
【図１】位置登録システムの構成図である。
【図２】位置情報管理テーブルの構成図である。
【図３】位置登録システムにおける位置登録の手順を示す図である。
【図４】位置情報管理テーブルの構成図である。
【図５】位置登録システムにおける位置登録の手順を示す図である。
【図６】位置登録システムにおける位置登録の手順を示す図である。
【図７】位置情報管理テーブルの構成図である。
【図８】位置登録システムの構成図である。
【図９】ＶＬＲ位置情報管理テーブルの構成図である。
【図１０】ＨＬＲ位置情報管理テーブルの構成図である。
【図１１】位置登録システムにおける位置登録の手順を示す図である。
【図１２】ＶＬＲ位置情報管理テーブルの構成図である。
【図１３】ＨＬＲ位置情報管理テーブルの構成図である。
【図１４】位置登録システムにおける位置登録の手順を示す図である。
【図１５】ＶＬＲ位置情報管理テーブルの構成図である。
【図１６】位置登録システムにおける位置登録の手順を示す図である。
【図１７】行動パターンテーブルの構成図である。
【符号の説明】
【０１０８】
１０…位置登録システム、１２…移動通信端末、１４…ロケーションレジスタ、１６…格納部、１６ａ，１６ｂ，１６ｃ…位置情報管理テーブル、１８…位置登録周期決定部、２０…位置登録制御部、３０…位置登録システム、３２…ＶＬＲ、３４…ＨＬＲ、３６…ネットワーク、３８…格納部、３８ａ，３８ｂ，３８ｃ…ＶＬＲ位置情報管理テーブル、４０…位置登録周期決定部、４２…ＶＬＲ位置登録制御部、４４…格納部、４４ａ，４４ｂ…ＨＬＲ位置情報管理テーブル、４６…ＨＬＲ位置登録制御部、５０…行動パターンテーブル。
【図１】
2007028652.tif 000003
【図２】
2007028652.tif 000004
【図３】
2007028652.tif 000005
【図４】
2007028652.tif 000006
【図５】
2007028652.tif 000007
【図６】
2007028652.tif 000008
【図７】
2007028652.tif 000009
【図８】
2007028652.tif 000010
【図９】
2007028652.tif 000011
【図１０】
2007028652.tif 000012
【図１１】
2007028652.tif 000013
【図１２】
2007028652.tif 000014
【図１３】
2007028652.tif 000015
【図１４】
2007028652.tif 000016
【図１５】
2007028652.tif 000017
【図１６】
2007028652.tif 000018
【図１７】
2007028652.tif 000019